(57)【要約】【課題】挿し木苗は、苗穂での培養期間が長く、コストが高く、根系が苗圃にてすでに損傷を受け、苗圃から出荷して移植するまでの生存期間が短く、移植後の苗の回復期間も長くて、一般的に１週間以上もかかる。【解決手段】  本発明は、体積百分比が松鱗２０〜５０％、バーミキュライト１０〜４０％、泥炭１５〜４０％、パーライト１０〜３０％などの成分を含有し、１立方メートル培地当たりに３００〜７００gの微量元素を添加していることを特徴とする挿し木培地である。また、成分及び微量元素を混合して、直径４〜７ｃｍの網状繊維に包まれた棒状の培地にしてから、長さの５〜７ｃｍのカラムに切断することによって最終製品が得られると言うステップを含むことを特徴とする調製方法である。【選択図】なし【特許請求の範囲】
【請求項１】
体積百分比が松鱗２０〜５０％、バーミキュライト１０〜４０％、泥炭１５〜４０％、パーライト１０〜３０％の成分を含有し、１立方メートル培地当たりに３００〜７００gの微量元素を添加しており、前記微量元素は質量百分比が硫酸カルシウム９〜１１％、硫酸マグネシウム１９〜２１％、硫酸マンガン９．５〜１１．５％、硫酸亜鉛３．８〜５．４％、硫酸銅１．２〜２．８％、硫酸第一鉄４８．５〜５６．５％、硼酸０．２〜０．９％、モリブデン酸アンモニウム０．０５〜０．１５％の成分を含み構成されることを特徴とする挿し木培地。
【請求項２】
前記構成成分の体積百分比において、松鱗２５〜４０％、バーミキュライト１５〜３５％、泥炭２５〜３０％、パーライト１２−２５％であることを特徴とする請求項１に記載の挿し木培地。
【請求項３】
前記構成成分の百分比において、松鱗３０〜４０％、バーミキュライト２０〜３０％、泥炭２０〜２８％、パーライト１８〜２５％であることを特徴とする請求項１に記載の挿し木培地。
【請求項４】
前記構成成分の百分比において、松鱗３５％、バーミキュライト２０％、泥炭２５％、パーライト２０％であることを特徴とする請求項１に記載の挿し木培地。
【請求項５】
１立方メートル培地に添加される微量元素は４００〜６００gで、微量元素を構成する各成分の質量百分比は、硫酸カルシウム９．５〜１０．５％、硫酸マグネシウム１９．５〜２０．５％、硫酸マンガン９．８〜１０．５％、硫酸亜鉛４．０〜４．８％、硫酸銅１．５〜２．５％、硫酸第一鉄５０．５〜５４．５％、硼酸０．５〜０．７％、モリブデン酸アンモニウム０．０８〜０．１２％であることを特徴とする請求項１に記載の挿し木培地。
【請求項６】
１立方メートル培地に添加される微量元素は５００gで、微量元素を構成する各成分の質量百分比は、硫酸カルシウム１０％、硫酸マグネシウム２０．３％、硫酸マンガン１０．２％、硫酸亜鉛４．４％、硫酸銅２．０％、硫酸第一鉄５２．４％、硼酸０．６％、モリブデン酸アンモニウム０．１％であることを特徴とする請求項１に記載の挿し木培地。
【請求項７】
次のステップを含むことを特徴とする挿し木培地の調製方法。
１）混合：体積百分比が松鱗２０〜５０％、バーミキュライト１０〜４０％、泥炭１５〜４０％、パーライト１０〜３０％を含む成分によって十分混合され、１立方メートル培地当たりに３００〜７００gの微量元素を添加しており、前記微量元素は質量百分比が硫酸カルシウム９〜１１％、硫酸マグネシウム１９〜２１％、硫酸マンガン９．５〜１１．５％、硫酸亜鉛３．８〜５．４％、硫酸銅１．２〜２．８％、硫酸第一鉄４８．５〜５６．５％、硼酸０．２〜０．９％、モリブデン酸アンモニウム０．０５〜０．１５％を含む成分を十分混合する。
２）成型：ステップ１）によって混合された材料を透水・換気性の優れた網状繊維によって構成されるチューブ状の中に入れて、網状の繊維によって包まれた棒状の培地が得られるが、その直径は４−７ｃｍである。
３）切断：上記棒状の培地を５〜７ｃｍのカラムに切断することによって、最終製品が得られる。
【請求項８】
前記構成成分の体積百分比において、松鱗２５〜４０％、バーミキュライト１５〜３５％、泥炭２５〜３０％、パーライト１２−２５％であることを特徴とする請求項７に記載の挿し木培地の調製方法。
【請求項９】
前記構成成分の体積百分比において、松鱗３０〜４０％、バーミキュライト２０〜３０％、泥炭２０〜２８％、パーライト１８〜２５％であることを特徴とする請求項７に記載の挿し木培地の調製方法。
【請求項１０】
前記構成成分の体積百分比において、松鱗３５％、バーミキュライト２０％、泥炭２５％、パーライト２０％であることを特徴とする請求項７に記載の挿し木培地の調製方法。
【請求項１１】
１立方メートル培地に添加される微量元素は４００〜６００g、微量元素を構成する各成分の質量百分比は、硫酸カルシウム９．５〜１０．５％、硫酸マグネシウム１９．５〜２０．５％、硫酸マンガン９．８〜１０．５％、硫酸亜鉛４．０〜４．８％、硫酸銅１．５〜２．５％、硫酸第一鉄５０．５〜５４．５％、硼酸０．５〜０．７％、モリブデン酸アンモニウム０．０８〜０．１２％であることを特徴とする請求項７に記載の挿し木培地の調製方法。
【請求項１２】
１立方メートル培地に添加される微量元素は５００g、微量元素を構成する各成分の質量百分比は、硫酸カルシウム１０％、硫酸マグネシウム２０．３％、硫酸マンガン１０．２％、硫酸亜鉛４．４％、硫酸銅２．０％、硫酸第一鉄５２．４％、硼酸０．６％、モリブデン酸アンモニウム０．１％であることを特徴とする請求項７に記載の挿し木培地の調製方法。
【請求項１３】
前記松鱗は各種松の木の皮で、その処理後の粒度は２〜５ｍｍであることを特徴とする請求項７に記載の挿し木培地の調製方法。
【請求項１４】
前記バーミキュライトは高温膨張バーミキュライトで、その粒度は３〜５ｍｍであることを特徴とする請求項７に記載の挿し木培地の調製方法。
【請求項１５】
前記泥炭は中国東北地方から出る泥炭であることを特徴とする請求項７に記載の挿し木培地の調製方法。
【請求項１６】
前記パーライトは高温膨張パーライトで、その粒度は２〜４ｍｍであることを特徴とする請求項７に記載の挿し木培地の調製方法。
【請求項１７】
ステップ２）において、前記棒状培地の直径は４．５〜６ｃｍであることを特徴とする請求項７に記載の挿し木培地の調製方法。
【請求項１８】
ステップ２）において、前記棒状培地直径は５ｃｍであることを特徴とする請求項７に記載の挿し木培地の調製方法。
【請求項１９】
ステップ３）において、前記カラムの長さ５．５〜６．５ｃｍであることを特徴とする請求項７に記載の挿し木培地の調製方法。
【請求項２０】
ステップ３）において、前記カラムの長さ６ｃｍであることを特徴とする請求項７に記載の挿し木培地の調製方法。
【発明の詳細な説明】
【技術分野】
【０００１】
本発明は培地及びその調製方法の技術分野に関わるもので、具体的には挿し木培地及びその調製方法に関わるものである。
【背景技術】
【０００２】
挿し木育苗方法は、植物の快速無性繁殖技術に最も普遍的に使われている育苗方法で、多数の植物、特に木本植物は大部挿し木の方法によって、大量・快速・低コストの繁殖を行うことによって、市場に大量の植物の種苗を提供している。わが国の経済発展に伴い、国民たちの生産や生活環境に対する期待は更に高くなり、市場の植物種苗に対するニーズも益々高くなっているので、挿し木育苗技術に対する期待ももっと高くなっている。挿し木育苗方法において、培地は挿し木苗の苗圃での栽培期間と苗圃を出た後の生存機関などにいずれも重要な影響がある。
【０００３】
挿し木育苗技術は、繁殖しようとする植物母本上の枝を適当な長さに切って挿し穂とし、挿し穂を事前に用意した培地に挿して培養するが、培地の役割は挿し穂に根おろしに必要とする水やガス、肥料、熱など環境の重要な条件を提供し、根系成長の支え物となる。植物自体の栽培学条件から言うと、挿し穂のベース部分に適当量の根が出され、上部に新芽が吹きさえすれば、種苗として農林・園芸生産に提供して使用させることができる。
【０００４】
しかし、既存の挿し木育苗に使われているのは、穴付きトレーに１種又は複数種材料の柔らかい混合物などを入れて培地とし、培地に挿し穂を挿し入れて培養するが、培地が柔らかくて、穴付きトレーの穴の容量が非常に小さいので、挿し穂にすでに一定量の新根が出ても適時に苗圃から出荷して移植することができなく、この時、根と培地はしっかりと絡み付いていないので、苗を穴付きトレーから抜き出されると、苗の根部は培地の包みから露出され、水分や養分の供給を失ってしまう。このような情況では、苗の根部は間もなく老化され活力を失い、苗全体も脱水によって萎びる。そのため、一般的な挿し木育苗方法では、もっと多くの根が出るようにし、しかも、根切り操作を通じて強迫に根系が穴付きトレーの中で絡み付き、培地としっかりと絡み付くようにし、苗圃出荷際の裸根現象を減らすことができる。明らかなことに、このような方法は一部の裸根現象を減らすことはできるが、その役割は限りのある減少のだけで、裸根を無くすことはできない。もっと重要なのは、このような方法は種苗の苗圃での培養期間の延長と種苗根系の最適な移植時期を逃すことを代価としている。このような方法で生産された挿し木苗は、苗穂での培養期間が長く、コストが高く、根系が苗圃にてすでに損傷を受け、苗圃から出荷して移植するまでの生存期間が短く、移植後の苗の回復期間も長くて、一般的に１週間以上もかかる。
【発明の概要】
【発明が解決しようとする課題】
【０００５】
本発明は挿し木培地及びその調製方法技術案を提供して、既存技術に存在する問題を解決することを目的とする。
【課題を解決するための手段】
【０００６】
本発明は、体積百分比が松鱗２０〜５０％、バーミキュライト１０〜４０％、泥炭１５〜４０％、パーライト１０〜３０％の構成成分を含み、１立方メートル培地当たりに３００〜７００gの微量元素を添加しており、前記微量元素は質量百分比が硫酸カルシウム９〜１１％、硫酸マグネシウム１９〜２１％、硫酸マンガン９．５〜１１．５％、硫酸亜鉛３．８〜５．４％、硫酸銅１．２〜２．８％、硫酸第一鉄４８．５〜５６．５％、硼酸０．２〜０．９％、モリブデン酸アンモニウム０．０５〜０．１５％の構成成分を含むことを特徴とする挿し木培地である。
【０００７】
本発明は、前記構成成分の体積百分比において、松鱗２５〜４０％、バーミキュライト１５〜３５％、泥炭２５〜３０％、パーライト１２〜２５％であることを特徴とする挿し木培地である。
【０００８】
本発明は、前記構成成分の体積百分比において、松鱗３０〜４０％、バーミキュライト２０〜３０％、泥炭２０〜２８％、パーライト１８〜２５％であることを特徴とする挿し木培地である。
【０００９】
本発明は、１立方メートル培地に添加される微量元素は４００〜６００g、微量元素を構成する各構成成分の質量百分比は、硫酸カルシウム９．５〜１０．５％、硫酸マグネシウム１９．５〜２０．５％、硫酸マンガン９．８〜１０．５％、硫酸亜鉛４．０〜４．８％、硫酸銅１．５〜２．５％、硫酸第一鉄５０．５〜５４．５％、硼酸０．５〜０．７％、モリブデン酸アンモニウム０．０８〜０．１２％であることを特徴とする挿し木培地である。
【００１０】
本発明は、次のステップを含むことを特徴とする挿し木培地の調製方法である。
【００１１】
１）混合：体積百分比が松鱗２０〜５０％、バーミキュライト１０〜４０％、泥炭１５〜４０％、パーライト１０〜３０％を含む構成成分によって十分混合され、１立方メートル培地当たりに３００〜７００gの微量元素を添加しており、前記微量元素は質量百分比が硫酸カルシウム９〜１１％、硫酸マグネシウム１９〜２１％、硫酸マンガン９．５〜１１．５％、硫酸亜鉛３．８〜５．４％、硫酸銅１．２〜２．８％、硫酸第一鉄４８．５〜５６．５％、硼酸０．２〜０．９％、モリブデン酸アンモニウム０．０５〜０．１５％を含む構成成分を十分混合する。
【００１２】
２）成型：ステップ１）によって混合された材料を透水・換気性の優れた網状繊維によって構成されるチューブ状の中に入れて、網状の繊維によって包まれた棒状の培地が得られるが、その直径は４−７ｃｍである。
【００１３】
３）切断：上記棒状の培地を５〜７ｃｍのカラムに切断することによって、最終製品が得られる。
【００１４】
本発明は、前記構成成分の体積百分比において、松鱗２５〜４０％、バーミキュライト１５〜３５％、泥炭２５〜３０％、パーライト１２〜２５％であることを特徴とする挿し木培地の調製方法である。
【００１５】
本発明は、前記構成成分の体積百分比において、松鱗３０〜４０％、バーミキュライト２０〜３０％、泥炭２０〜２８％、パーライト１８〜２５％であることを特徴とする挿し木培地の調製方法である。
【００１６】
本発明は、１立方メートル培地に添加される微量元素は４００〜６００g、微量元素を構成する各成分の質量百分比は、硫酸カルシウム９．５〜１０．５％、硫酸マグネシウム１９．５〜２０．５％、硫酸マンガン９．８〜１０．５％、硫酸亜鉛４．０〜４．８％、硫酸銅１．５〜２．５％、硫酸第一鉄５０．５〜５４．５％、硼酸０．５〜０．７％、モリブデン酸アンモニウム０．０８〜０．１２％を含むことを特徴とする挿し木培地の調製方法である。
【００１７】
本発明は、前記松鱗は各種松の木の皮で、その処理後の粒度は２〜５ｍｍであり、前記バーミキュライトは高温膨張バーミキュライトで、その粒度は３〜５ｍｍであり、前記泥炭は中国東北地方から出る泥炭であり、前記パーライトは高温膨張パーライトで、その粒度は２〜４ｍｍであることを特徴とする挿し木培地の調製方法である。
【００１８】
本発明は、ステップ２）において、前記培地は直径は４．５〜６ｃｍ、ステップ３）において、前記カラムの長さは５．５〜６．５ｃｍであることを特徴とする挿し木培地の調製方法である。
【発明の効果】
【００１９】
上記の何れかの挿し木培地及びその調製方法技術案は、原料の配合比率が合理的で、製品の形態が独特で、植物の挿し木培養にもっと優れた培地環境を提供することができる。本発明の前記構成成分と比例を採用することによって、しかも、本発明の前記調製方法を利用して作られた挿し木培地で挿し木培養を行った植物は、挿し木の根おろしがもっと易くなり、挿し木苗が苗圃から出荷される時に、裸根になり難く、挿し木苗の栽培から苗圃出荷までの培養期間を著しく短縮することができ、苗圃出荷後も根系を包み、苗の成長環境に大きな変化をもたらさないので、苗圃を離れてから苗の萎びるまでの期間を著しく延長するので、挿し木苗の移植にもっと長い輸送時間ともっと高い活着率を提供することができ、加工方法が簡単かつ便利で、生産コストも低い。
【発明を実施するための形態】
【００２０】
次では具体的な実施例に合わせて本発明について更に説明することにする。
【実施例１】
【００２１】
実施例１によれば、３０００リットルの攪拌桶に松鱗を２００リットル、バーミキュライトを４００リットル、泥炭を２５０リットル入れて、３００リットルの混合筒にパーライトを１５０リットル入れてから、硫酸カルシウムを５０ｇ、硫酸マグネシウムを１０１ｇ、硫酸マンガンを５１ｇ、硫酸亜鉛を２２ｇ、硫酸銅を１０ｇ、硫酸第一鉄を２６２ｇ、硼酸を３ｇ、モリブデン酸アンモニウムを０．５ｇ入れて、十分攪拌して均一にした後、すでに松鱗やバーミキュライト及び泥炭を入れている３０００リットルの攪拌桶の中に入れて攪拌し、全ての成分が均一に混合された後に、混合材料を網状袋成型機で４ｃｍ直径のソーセージ状の挿し木網状袋を作って、切断機でそれを５ｃｍの長さのカラム状に切断することによって最終製品が得られる。
【００２２】
【表１】
2010136720.tif 000002
表１から見ると、実施例１に記載の構成成分と比例によって作られた挿し木培地はハナモモや、ネズミモチ、トキワサンザシ、ヨウシュカンボなどの挿し木の苗圃での栽培期間短縮に対して、いずれも著しい効果があり、実施例１は主根類植物と鬚根類植物の挿し木培養に対して、いずれも培養期間短縮の著しい促進作用を有することを実証した。
【００２３】
【表２】
2010136720.tif 000003
表２から見ると、実施例１はハナモモや、ネズミモチ、トキワサンザシ、ヨウシュカンボなどの挿し木苗の苗圃出荷後、移植されるまでの生存期間延長にいずれも極めて明らかな効果を有する。
【実施例２】
【００２４】
実施例２によれば、３０００リットル容量の攪拌桶に松鱗を３５０リットル、バーミキュライトを２００リットル、泥炭を１５０リットル入れて、３００リットルの混合筒にパーライトを３００リットル入れてから、硫酸カルシウムを５０ｇ、硫酸マグネシウムを１０１ｇ、硫酸マンガンを５１ｇ、硫酸亜鉛を２２ｇ、硫酸銅を１０ｇ、硫酸第一鉄を２６２ｇ、硼酸を３ｇ、モリブデン酸アンモニウムを０．５ｇ入れて、十分攪拌して均一にした後、すでに松鱗やバーミキュライト及び泥炭を入れている３０００リットルの攪拌桶の中に入れて攪拌し、全ての成分が均一に混合された後に、混合材料を網状袋成型機で６ｃｍ直径、１０ｍ以上長さのソーセージ状の挿し木網状袋を作って、切断機でそれを７ｃｍの長さのカラム状に切断することによって最終製品が得られる。
【００２５】
【表３】
2010136720.tif 000004
表３から見ると、実施例２に記載の構成成分と比例によって作られた挿し木培地はハナモモや、ネズミモチ、トキワサンザシ、ヨウシュカンボなどの挿し木の苗圃での栽培期間短縮に対して、いずれも著しい効果があり、実施例２は主根類植物と鬚根類植物の挿し木培養に対して、いずれも培養期間短縮の著しい促進作用を有することを実証した。
【実施例３】
【００２６】
３０００リットル容量の攪拌桶に松鱗を４５０リットル、バーミキュライトを１００リットル、泥炭を３５０リットル入れて、３００リットルの混合筒にパーライトを１００リットル入れてから、硫酸カルシウムを５０ｇ、硫酸マグネシウムを１０１ｇ、硫酸マンガンを５１ｇ、硫酸亜鉛を２２ｇ、硫酸銅を１０ｇ、硫酸第一鉄を２６２ｇ、硼酸を３ｇ、モリブデン酸アンモニウムを０．５ｇ入れて、十分攪拌して均一にした後、すでに松鱗やバーミキュライト及び泥炭を入れている３０００リットルの攪拌桶の中に入れて攪拌し、全ての成分が均一に混合された後に、混合材料を網状袋成型機で６ｃｍ直径、１０ｍ以上長さのソーセージ状の挿し木網状袋を作って、切断機でそれを７ｃｍの長さのカラム状に切断することによって最終製品が得られる。
【００２７】
試験から見ると、実施例３に記載の構成成分と比例及び調製方法によって作られた挿し木培地は、ハナモモや、ネズミモチ、トキワサンザシ、ヨウシュカンボなどの挿し木苗の苗圃栽培期間短縮、挿し木苗の苗圃出荷後、移植されるまでの生存期間延長などに、いずれも著しい効果があり、主根類植物と鬚根類植物の挿し木培養に対して、いずれも培養期間短縮の著しい促進作用を有し、同じ技術効果を有することを実証した。
【００２８】
上記のそれぞれの実施例において、１立方メートル当たりの培地に添加される微量元素は３００〜７００ｇの範囲を採用し、それぞれの微量元素添加量を３００ｇ、４００ｇ、５５０ｇ、７００ｇとし、その中の微量元素が次の質量百分比、即ち、硫酸カルシウム９〜１１％、硫酸マグネシウム１９〜２１％、硫酸マンガン９．５〜１１．５％、硫酸亜鉛３．８〜５．４％、硫酸銅１．２〜２．８％、硫酸第一鉄４８．５〜５６．５％、硼酸０．２〜０．９％、モリブデン酸アンモニウム０．０５〜０．１５％などによって量って混合してから、それぞれ、ハナモモや、ネズミモチ、トキワサンザシ、ヨウシュカンボなど挿し木の苗圃での栽培期間及び挿し木苗の苗圃出荷後移植されるまでの生存期間に対する試験を行った結果、いずれも同じ技術的効果が得られた。
【００２９】
本発明において、前記微量元素を構成する各構成成分の化学式は下記表の通りである。
【表４】
2010136720.tif 000005
【外国語明細書】
2010136720000001.pdf